(57)【特許請求の範囲】
【請求項１】
ＣＣＤイメージセンサの信号処理部に与える互いに位相が異なる正論理の第１及び第２のパルス信号を出力するＣＣＤ駆動装置であって、前記第１及び第２のパルス信号の論理和をとった信号の逆位相信号である第３のパルス信号をダミー出力としてさらに出力し、前記第１及び第２のパルス信号が入力される前記信号処理回路の入力容量と同等の容量負荷が前記第３のパルス信号の出力配線に接続されていることを特徴とするＣＣＤ駆動装置。
【請求項２】
ＣＣＤイメージセンサの信号処理部に与える互いに位相が異なる負論理の第１及び第２のパルス信号を出力するＣＣＤ駆動装置であって、前記第１及び第２のパルス信号の論理積をとった信号の逆位相信号である第３のパルス信号をダミー出力としてさらに出力し、前記第１及び第２のパルス信号が入力される前記信号処理回路の入力容量と同等の容量負荷が前記第３のパルス信号の出力配線に接続されていることを特徴とするＣＣＤ駆動装置。
【発明の詳細な説明】
【０００１】
【産業上の利用分野】
本発明はＣＣＤ駆動装置、つまりＣＣＤ駆動パルス発生ＬＳＩに関するものである。
【０００２】
【従来の技術】
近年、ビデオカメラは、小型・軽量・高画質であることに開発の主眼が置かれており、エリアイメージセンサ（以下、ＣＣＤと略す。）の高画素化つまり各種信号の高速化が進んでいる。このため、ＣＣＤカメラからの不要輻射が増加しやすくなる。一方、カメラ全体または一部をシールド材で覆うといった不要輻射対策は、小形・軽量化のニーズに反するので行い難い。したがって、ＣＣＤ駆動回路から発生する不要輻射そのものを抑える対策が望まれている。
【０００３】
図５に従来のＣＣＤ駆動回路の一部をブロック図で示す。ＣＣＤ駆動ＬＳＩ１から出力されてＣＣＤ２へ直接印加されるパルスのうち、比較的周波数の高い水平方向の転送パルスＨ１，Ｈ２、及び電荷検出部のリセットゲート印加パルスＲが図に示されている
水平方向の転送パルスはＨ１及びＨ２は、図６に示すように、逆の位相関係になっている。ＣＣＤ駆動ＬＳＩ１は通常ＣＭＯＳプロセスを用いて製造されており、水平方向の転送パルスＨ１，Ｈ２が変化するときにＬＳＩの内部に流れる電流は、電源側と接地側とで逆方向になる。その結果、パルスＨ１，Ｈ２の論理変化によって生ずる不要輻射は相殺し合い、全体として不要輻射が低減される。一方、リセットゲート印加パルスＲは図６に示すような一種類だけのパルス信号であり、水平方向の転送パルスＨ１，Ｈ２のような相殺作用が働かないので、不要輻射の大きな原因となる。
【０００４】
図７に別の従来例であるＣＣＤ駆動回路の一部をブロック図で示す。この図において、ＣＣＤ駆動ＬＳＩ３はＣＣＤ２に印加する水平転送パルスＨ１，Ｈ２等の他に、信号処理部４に与える信号ＤＳ１，ＤＳ２をも出力する。信号処理部４はＣＣＤからの信号ＣＣＤｏｕｔのレベル変換や合成等の処理を行う。これらの信号ＤＳ１及びＤＳ２は、相関２重サンプリング処理（以下、「ＣＤＳ」と略記する）パルスと称され、図８に示すように、互いに９０度位相のずれた関係になっている。したがって、これらの信号ＤＳ１，ＤＳ２についても前述の従来例における水平方向の転送パルスＨ１，Ｈ２のような相殺作用は働かず、不要輻射の大きな原因となる。
【０００５】
これらのパルス信号によって生ずる不要輻射をできるだけ小さくするために、従来は単にパルス信号の出力電圧を下げたり、ローパスフィルタによって波形をなまらすこと等の対策を行っていた。
【０００６】
【発明が解決しようとする課題】
しかしながら、上記のような対策は、別の不具合を生じさせないような範囲で行う必要があるので十分な対策とはなり難い。つまり、リセットゲート印加パルスの電圧を下げ過ぎるとリセットがかからなくなり、波形をなまらし過ぎると転送残りが発生するといった、ＣＣＤ特性上または信号処理動作上の不具合を発生しやすくなる。
【０００７】
そこで、本発明は、リセットゲート印加パルスやＣＤＳパルスに関して上記のような不具合を発生することなく効果的に不要輻射の発生を抑制することができるＣＣＤ駆動装置を提供することを目的とする。
【０００８】
【問題を解決するための手段】
【０００９】
この目的を達成するために、本発明によるＣＣＤ駆動装置の第１の構成は、ＣＣＤイメージセンサの信号処理部に与える互いに位相が異なる（同周期の）正論理の第１及び第２のパルス信号を出力するＣＣＤ駆動装置において、前記第１及び第２のパルス信号の論理和をとった信号の逆位相信号である第３のパルス信号をダミー出力としてさらに出力し、前記第１及び第２のパルス信号が入力される前記信号処理回路の入力容量と同等の容量負荷が前記第３のパルス信号の出力配線に接続されていることを特徴とする。
【００１０】
本発明によるＣＣＤ駆動装置の第２の構成は、ＣＣＤイメージセンサの信号処理部に与える互いに位相が異なる（同周期の）負論理の第１及び第２のパルス信号を出力するＣＣＤ駆動装置において、前記第１及び第２のパルス信号の論理積をとった信号の逆位相信号である第３のパルス信号をダミー出力としてさらに出力し、前記第１及び第２のパルス信号が入力される前記信号処理回路の入力容量と同等の容量負荷が前記第３のパルス信号の出力配線に接続されていることを特徴とする。第１または第２の構成によれば、第１または第２のパルス信号によって発生する不要輻射が第３のパルス信号（ダミーパルス）によって発生する不要輻射と相殺される。
【００１１】
【発明の実施の形態】
以下、本発明の好ましい実施形態について説明する。
まず、第１の実施形態に係るＣＣＤ駆動回路の一部を図１にブロック図で示す。この実施形態は、図５に示した従来例を改善したものである。ＣＣＤ駆動ＬＳＩ５から出力されてＣＣＤ６へ印加されるパルスとして、水平方向の転送パルスＨ１，Ｈ２及び電荷検出部のリセットゲート印加パルスＲが示されている点は図５に示した従来例と同じである。しかし、本実施形態のＣＣＤ駆動回路では、さらに、リセットゲート印加パルスＲと逆位相のパルスＮＲがＣＣＤ駆動ＬＳＩ５から出力されている。
【００１２】
このリセットゲート印加パルスＲと逆位相のパルスＮＲをダミー出力としてＣＣＤ駆動ＬＳＩ５から出力することにより、リセットゲート印加パルスＲによって発生する不要輻射をダミーパルスＮＲによる不要輻射で相殺することができる。これは、図２に示すように、また、従来例で説明したように、水平方向の転送パルスＨ１及びＨ２が互いに発生する不要輻射を相殺し合うのと同様の作用による。
【００１３】
したがって、リセットゲート印加パルスＲとダミーパルスＮＲとの論理変化タイミングは、極力一致している必要がある。両パルスを隣接した端子より出力し、両出力ライン（配線）は極力平行に同じ長とすることが望ましい。また、ダミーパルス出力ラインは、リセットゲートの入力容量と同じダミー容量Ｃで終端する必要がある。なお、リセットゲートの入力容量には小さいので、ダミーパルス出力が１つ増えることによる消費電力の増加はわずかであり、システム全体に与える影響はほとんど無い。
【００１４】
次に、第２の実施形態に係るＣＣＤ駆動回路の一部を図３にブロック図で示す。この実施形態は、図７に示した従来例を改善したものである。ＣＣＤ駆動ＬＳＩ７から出力されるＣＤＳパルス信号ＤＳ１，ＤＳ２が信号処理部８へ入力される点は従来例と同様である。しかし、本実施形態では、さらに、ＣＤＳパルスＤＳ１及びＤＳ２の論理和をとったパルスの逆位相パルスＮＤＳ（図４参照）がダミー出力としてＣＣＤ駆動ＬＳＩ７から出力される。そして、このダミー出力ラインは、信号処理部８の入力容量と同じダミー容量Ｃで終端されている。
【００１５】
ＣＤＳパルスＤＳ１またはＤＳ２が変化するときに流れる電流と逆方向の電流が、ダミーパルスＮＤＳが変化するときに流れるので、ＣＤＳパルスＤＳ１またはＤＳ２により発生する不要輻射と、ダミーパルスＮＤＳにより発生する不要輻射とが相殺される。この結果、全体として不要輻射が低減される。
【００１６】
なお、ＣＤＳパルスＤＳ１，ＤＳ２が負論理出力の場合は、両パルスの論理和ではなく論理積をとった信号の逆位相信号をダミー出力とすることにより、不要輻射を低減することができる。また、本実施形態では２相のＣＤＳパルスに関する不要輻射の低減を図っているが、その他の出力パルス、例えば、色サンプリングパルスや１Ｈ遅延線クロックパルス、ＡＤ，ＤＡ変換器クロックパルス、あるいは３相以上のパルス出力についても、同様にして不要輻射を低減することができる。
【００１７】
【発明の効果】
以上のように、本発明のＣＣＤ駆動装置によれば、ＣＣＤの特性を落とすことなく、また、外付けシールドを追加することなく、出力パルスの論理変化によ伴う不要輻射そのものを効果的に低減することができる。その結果、ビデオカメラの小型化、高画素（高性能）化に寄与することができる。
【図面の簡単な説明】
【図１】本発明の第１の実施形態に係るＣＣＤ駆動回路の一部を示すブロック図
【図２】図１の回路におけるＣＣＤパルス発生ＬＳＩの出力パルスのタイミングチャート
【図３】本発明の第２の実施形態に係るＣＣＤ駆動回路の一部を示すブロック図
【図４】図３の回路におけるＣＣＤパルス発生ＬＳＩの出力パルスのタイミングチャート
【図５】従来例のＣＣＤ駆動回路の一部を示すブロック図
【図６】図５の回路におけるＣＣＤパルス発生ＬＳＩの出力パルスのタイミングチャート
【図７】別の従来例のＣＣＤ駆動回路の一部を示すブロック図
【図８】図７の回路におけるＣＣＤパルス発生ＬＳＩの出力パルスのタイミングチャート
【符号の説明】
１、３、５、７  ＣＣＤ駆動ＬＳＩ
２、６  ＣＣＤ
４、８  信号処理部
【図１】
0003611145.tif 000002
【図２】
0003611145.tif 000003
【図３】
0003611145.tif 000004
【図４】
0003611145.tif 000005
【図５】
0003611145.tif 000006
【図６】
0003611145.tif 000007
【図７】
0003611145.tif 000008
【図８】
0003611145.tif 000009